(57)【要約】【課題】留め具としてケーシングに内蔵した弾性体が装身用チェーンの捻れに連動してスムーズに回転することができるようにした留め具、およびこれを用いた装身用チェーンのスライド構造を提供する。【解決手段】ケーシングが、縦長のパイプに設けられた開口に縦長の弾性チューブを内蔵してからパイプの開口の径を絞って前記一対の孔を形成すると共に、弾性チューブが抜け出ないようにしたオーバル状のケーシングからなっており、弾性チューブは、外周壁がケーシングの中空部の内壁に押圧されず、ケーシングの中空部の内壁と弾性チューブの側面の外周壁との間に、弾性チューブが貫通孔を中心に旋回可能な隙間が形成されており、装身用チェーンが捻れると連動して弾性チューブがケーシング内で旋回しうる構成よりなっている。【選択図】図３
2006136746.tif 000002
【特許請求の範囲】
【請求項１】
互いに対向する位置に一対の孔を形成してケーシングの外部から中空部へ通じる中空体からなるケーシング内に、前記一対の孔に連通可能な貫通孔部を有する弾性チューブからなる弾性体を内蔵し、前記ケーシングと弾性体とに挿通した装身用チェーンの軸線方向の動きを拘束する留め具において、
前記ケーシングが、縦長のパイプに設けられた開口に縦長の弾性チューブを内蔵してから前記パイプの開口の径を絞って前記一対の孔を形成すると共に、前記弾性チューブが抜け出ないようにしたオーバル状のケーシングからなっており、
上記弾性チューブは、その外周壁がケーシングの中空部の内壁に押圧されず、前記ケーシングの中空部の内壁と弾性チューブの側面の外周壁との間に、前記弾性チューブが貫通孔を中心に旋回可能な隙間が形成されており、
装身用チェーンが捻れると該装身用チェーンに連動して前記弾性チューブがケーシング内で旋回しうることを特徴とする留め具。
【請求項２】
弾性体は、該弾性体の外径となる直径がケーシングの孔の直径より長く設定されると共に、貫通孔部の直径がケーシングの孔の直径より短く設定されてなることを特徴とする請求項１に記載の留め具。
【請求項３】
弾性体のチューブが、断面円形、断面楕円形、または断面多角形の筒体からなっていることを特徴とする請求項１または２に記載の留め具。
【請求項４】
装身用チェーンと、中空体からなるケーシング内に弾性体を内蔵し前記ケーシングと弾性体とに挿通した装身用チェーンの軸線方向の動きを拘束する留め具とからなる装身用チェーンのスライド構造であって、
前記留め具は、請求項１から３のいずれかに記載されたものであり、
前記チェーンは、前記留め具の前記ケーシングを貫通し、前記弾性体によって弾性的に保持されることを特徴とする装身用チェーンのスライド構造。
【請求項５】
チェーンによって形成されるリングが留め具によって長さ調整可能となっていることを特徴とする請求項４に記載の装身用チェーンのスライド構造。
【請求項６】
チェーンに対する留め具の取付位置が変位するように調整可能となっていることを特徴とする請求項４に記載の装身用チェーンのスライド構造。
【発明の詳細な説明】
【技術分野】
【０００１】
この発明は、弾性材を内蔵した留め具およびその留め具を用いた装身用チェーンのスライド構造に関する。
【背景技術】
【０００２】
従来、アジャスターを用いて装身用チェーンやループタイの長さを調整する構造として、例えば実用新案登録第３０４２０７１号公報には、装身用鎖を押通して留める留め具であって、球状その他の形状をしていて、装身用鎖を挿通する貫通孔を有しており、内部には、装身用鎖が外れるのを防止する弾性体が入っていることを特徴とする装身用鎖の留め具の構造が知られている。
この弾性体は、１枚のバネ板の両端を、同じ側に半円筒状に折り曲げて、互いに背中合わせの円弧状板バネに形成しており、その背中合わせの円弧状弾性体部の間に左右一対の装身用鎖を押通して挟圧している。
そのため、装身用鎖と上記弾性体との接触面が狭く、挟圧力が局部的にしか作用しないので、挟圧力を強める必要があるが、そのことは装身用鎖に局所的に傷をつけやすい欠点となっている。
また、特開２０００−５０９２２号では、中空球形状のケーシング中にＯリングを内蔵して、ケーシングを貫通する紐部材をスライドさせて所望位置で拘束しうる構成が開示されている。
これによれば、Ｏリングを用いるので紐部材に傷をつけにくい。
しかし、この構成では、Ｏリングに負荷がかかっていなくてもＯリングの外周がケーシングの中空部の内壁面に圧接しているため、Ｏリング内を通るチェーンがその長手方向の軸に対して回転する方向に捻れる際には、Ｏリングの孔の内周壁面の弾性反発力による抵抗がチェーンにかかり、捻れにくいという欠点がある。
更に、特開２０００−１３９５２８号では中空体のケーシングに弾性チューブを挿入する留め具が開示されている。
【特許文献１】特開２０００−５０９２２号
【特許文献２】特開２０００−１３９５２８号
【発明の開示】
【発明が解決しようとする課題】
【０００３】
この発明は上記事情に鑑みて創案されたものであって、その主たる課題は、留め具としてケーシングに内蔵した弾性体が装身用チェーンの捻れに連動してスムーズに回転することができるようにした留め具、およびこれを用いた装身用チェーンのスライド構造を提供することにある。
【課題を解決するための手段】
【０００４】
上記課題を達成するために、請求項１の留め具の発明では、
互いに対向する位置に一対の孔を形成してケーシングの外部から中空部へ通じる中空体からなるケーシング内に、前記一対の孔に連通可能な貫通孔部を有する弾性チューブからなる弾性体を内蔵し、前記ケーシングと弾性体とに挿通した装身用チェーンの軸線方向の動きを拘束する留め具において、
前記ケーシングが、縦長のパイプに設けられた開口に縦長の弾性チューブを内蔵してから前記パイプの開口の径を絞って前記一対の孔を形成すると共に、前記弾性チューブが抜け出ないようにしたオーバル状のケーシングからなっており、
上記弾性チューブは、その外周壁がケーシングの中空部の内壁に押圧されず、前記ケーシングの中空部の内壁と弾性チューブの側面の外周壁との間に、前記弾性チューブが貫通孔を中心に旋回可能な隙間が形成されており、
装身用チェーンが捻れると該装身用チェーンに連動して前記弾性チューブがケーシング内で旋回しうる、という技術的手段を講じている。
請求項２の発明では、
前記弾性体は、該弾性体の外径となる直径がケーシングの孔の直径より長く設定されると共に、貫通孔部の直径がケーシングの孔の直径より短く設定されてなる、という技術的手段を講じている。
また、請求項３の発明では、
前記弾性体のチューブが、断面円形、断面楕円形、または断面多角形の筒体からなっている、という技術的手段を講じている。
【０００５】
次に、請求項４の装身用チェーンのスライド構造の発明では、
装身用チェーンと、中空体からなるケーシング内に弾性体を内蔵し前記ケーシングと弾性体とに挿通した装身用チェーンの軸線方向の動きを拘束する留め具とからなる装身用チェーンのスライド構造であって、
前記留め具は、請求項１から３のいずれかに記載されたものであり、
前記チェーンは、前記留め具の前記ケーシングを貫通し、前記弾性体によって弾性的に保持される、という技術的手段を講じている。
請求項５の発明では、
前記チェーンによって形成されるリングが留め具によって長さ調整可能となっている、という技術的手段を講じている。
請求項６の発明では、
前記チェーンに対する留め具の取付位置が変位するように調整可能となっている、という技術的手段を講じている。
【発明の効果】
【０００６】
この発明の装身用チェーンの留め貝スライド構造では、弾性体を装身用チェーンに外嵌して拘束するようにしたので、留め具を装身用チェーンに沿ってスライドしても装身用チェーンとの挟正面積を広くして挟圧力を高めると共に装身用チェーンが損傷されにくい。
また、弾性体がケーシングの内周壁に圧接せずに隙間を有しているので、チェーンを通した弾性体をケーシング内で軸線を中心に回転させたり、回転方向に捻りやすくすることができ、また隙間を利用して撓ませることもできる。
また、留め具と弾性体の簡単な構造からなっているので、軽量であると共に製造が容易であり、工業的量産に適してコストダウンを図ることができる。
【発明を実施するための最良の形態】
【０００７】
以下に、この発明の留め具および装身用チェーンのスライド構造の好適実施例について説明する。
【実施例１】
【０００８】
留め具１０は、図２、図３に示すように、ケーシング１と、これに内蔵される弾性チューブ４とからなっている。
ケーシング１は、図示例では略円筒形状のパイプを扁平に潰して断面が略楕円形状のオーバル・パイプとしたものを使用している（図１（ｄ）参照）が、この発明では外面が多面体のものや、卵状やダルマ状、球状など、任意の中空体形状が可能であり、装身用チェーン２を挿通できる形態のものであればよい。
ケーシング１を中空の球状とした応用例を図７に示す。
【０００９】
装身用チェーン２は、ネックレスやブレスレットなどを構成する鎖であり、フラットチェーンやコンパクトチェーン、オーバルチェーン、リンクチェーン、または異形チェーンその他の公知形状のチェーンを用いることができる。
【００１０】
この装身用チェーン２を、留め具１０に貫挿するため、ケーシング１には、その長手方向の両端で互いに対向する位置に一対の孔３ａ、３ｂを設けている。
この一対の孔３ａ、３ｂは、同一形状からなってケーシング１の外部からその中空部１ａへ通じており、ケーシング１を貫通する際の出入口となるように形成されている。
【００１１】
次ぎに、弾性チューブ４は、本実施例では円筒状の合成ゴムからなっており、図３（ａ）で示すように、弾性チューブ４の外径となる直径Ｌ２がケーシング１の孔３ａ（３ｂ）の直径Ｌ１より長く（Ｌ２＞Ｌ１）設定されると共に、貫通孔部４ａの直径Ｌ３が前記ケーシング１の孔３ａ（３ｂ）の直径Ｌ１より短く（Ｌ３＜Ｌ１）設定されている。
また、装身用チェーン２の最大外周部分の直径Ｌ４は、前記孔の直径Ｌ１より僅かに短いが、貫通孔部４ａの直径Ｌ３はその直径Ｌ４より短く設定されている。
即ち、Ｌ２＞Ｌ１＞Ｌ４＞Ｌ３となる。
従って、この弾性チューブ４は、内部に装身用チェーン２を貫挿すると該装身用チェーン２の外周を締付ける方向に付勢力が作用する。
【００１２】
この弾性チューブ４の長さは、負荷がかからない場合に、その両端がケーシング１の中空部１ａの内壁に強く圧接せずに、両端が上記内壁に接する程度の長さ（図３（ａ）参照）、または接触しない程度の長さ（図３（ｂ）参照）に設定されることが好ましい。
弾性チューブ４が圧縮された状態でケーシング１に収納されると、弾性チューブ４は負荷がかからなくてもケーシング１の孔近傍の内壁に対して弾性チューブ４の長手方向の両端が強く圧接するので、弾性チューブ４が回転しづらくなるからである。
【００１３】
また、この弾性チューブ４の直径Ｌ２は、ケーシング１の中空部の直径（オーバル形状の場合は最短の直径）Ｌ５よりも短く設定（Ｌ２＜Ｌ５）されている。
従って、上記弾性チューブ４は、その外周壁に沿って、ケーシング１の中空部１ａの内壁との間に隙間Ｓを有するように内蔵される。
【００１４】
そして、弾性チューブ４は、ケーシング１の製作過程において、縦長のパイプ１１の孔をやや狭めたパイプ１２のままの段階（図１（ｂ）参照）で予め縦長の弾性チューブ４（図１（ｅ）参照）を内蔵し、次いで孔の径を絞って狭めたパイプ１３（図１（ｃ）参照）として弾性チューブ４が抜け出ないようにし、更にオーバル状に扁平に潰してケーシング１を製作（図１（ｄ）参照）する。
【００１５】
このように構成されているので、弾性チューブ４に装身用チェーン２を挿通させると、装身用チェーン２の外周面によって弾性チューブ４が拡開方向に押し広げられ、弾性チューブ４自体は縮小方向に付勢力が作用する。
これによって弾性チューブ４に挿入された装身用チェーン２は、弾性チューブ４の付勢力による締付けによって、常時弾性チューブ４によって挟圧される。
【００１６】
ここで弾性チューブ４は、留め具１０のケーシング１の中空部１ａ内で、装身用チェーン２の動きと連動する。
従って、図２に示すように、装身用チェーン２または留め具１０のケーシング１をいずれかに引っ張ると、弾性チューブ４が連動して引っ張られ弾性チューブ４の端部がケーシング１の孔３ａまたは３ｂ近傍の内壁と衝合し、弾性チューブ４の動きが拘束される。
【００１７】
更に留め具１０のケーシング１またはチェーン２を強く引っ張ると、弾性チューブ４の先端の衝合側が圧縮されると共に、弾性チューブ４の挟圧に抗して装身用チェーン２が弾性チューブ４の貫通孔部４ａを広げながら引き出される。
これによって装身用チェーン２に沿って留め具１０をスライドして装身用チェーン２に対する位置を変更することができる。
【００１８】
留め具１０を逆方向に引っ張れば、装身用チェーン２を挟圧する弾性チューブ４は留め具１０内で逆方向に動いて反対側の孔の内壁と衝合し、前記と同様に弾性チューブ４から装身用チェーン２が逆方向に引き出されるので、留め具１０を逆方向にスライドさせることができる。
【００１９】
また、弾性チューブ４は、ケーシング１の中空部１ａ内で、弾性チューブ４の外周と中空部１ａの内壁との間に環状に隙間が形成されているので、弾性チューブ４に負荷がかかっていない状態では、ケーシング１の中空内で弾性チューブ４の軸線を中心にして容易に旋回することができる。
この際に、弾性チューブ４の長手方向の両端または一端がケーシング１の内壁に接していても上記旋回を妨げるような抵抗力は生じない。
従って、装身用チェーンが捻れた場合に、ケーシング１内で上記弾性チューブ４もこれに連動して捻れ方向に容易に回転することができる。
なお、図２中、符号２０はチェーン２の先端に固着された止め輪、符号３０はケーシングに固着されたリング２１に止められて前記止め輪２０を着脱自在に掛け止める掛止具である。
【００２０】
上記実施例では、弾性チューブ４の外周に沿って環状に連続して隙間が形成される場合を示したが、一部が前記中空部の内壁と接触する構造でもよい。
その場合も、弾性チューブ４が内壁に強く圧接されると旋回の障碍となるので、単に接する程度が望ましい。
【００２１】
また、弾性チューブ４の長手方向の両端も、チェーン２をスライドする際は、少なくとも牽引された側の端部がケーシング１の孔３ａ（３ｂ）の近傍の周壁に圧接される。そのような負荷がかからなくなった場合には、元に戻って、ケーシング１の中空部１ａの内壁に接しないものであれば、前記チェーン２の旋回の邪魔にならないし、内壁に接する程度であっても、その抵抗は小さく、同様に前記チェーンの旋回を比較的容易に行うことができる。
【００２２】
このように、弾性チューブ４の外周に沿って連続して、あるいは断続して隙間Ｓが形成されるので、弾性チューブ４で挟圧されたチェーンは軸線を中心に旋回させたり、隙間部分に撓ませたりすることができるので、着用時のチェーンの捻れをスムーズに解放させることができる。
【実施例２】
【００２３】
上記実施例では、１本の装身用チェーン２に取り付けられた留め具１０をスライドして取付位置の変更を行う構成を例示したが、図４には一対に並んだ装身用チェーン２を束ねる留め具１０がスライドして位置を変更する構成を示す。
【００２４】
この留め具１０は、ケーシング１に一対に並んだ装身用チェーン２を並行して嵌装し、ケーシング１内で各装身用チェーン２にそれぞれ弾性チューブ４が外嵌した構成からなっている。
ここで図示例の場合、説明の便宜上、複数設けられた同一構成には符号に「’」を付けて区別する。
即ち、ケーシング１には両端に一対の孔３ａ，３ａ’と３ｂ，３ｂ’が対向して形成されている。
【００２５】
そして、それぞれの孔３ａ，３ｂ間、および３ａ’、３ｂ’間には弾性チューブ４，４’が配置されて、上記孔３ａ，３ａ’と３ｂ，３ｂ’を貫通する２本並列の装身用チェーン２，２’に嵌め込まれている。
この装身用チェーン２，２’は、並行に二重に巻いたチェーンであって、２本のチェーン２，２’を束ねるために留め具１０が用いられている。
あるいは、１本の装身用チェーンの一対の端部側のチェーン２，２’を束ねるために留め具１０が用いられている場合であってもよい。
【００２６】
この場合もそれぞれの装身用チェーン２，２’に対して留め具１０のケーシング１を引っ張ることによって、装身用チェーン２，２’に対する留め具１０の位置を変更することができる。
【実施例３】
【００２７】
次ぎに、図５には複数（４本）の装身用チェーンに対して留め具１０をスライド自在とした異なる実施例を示す。
この場合も前記実施例と同様に、１つのケーシング１に入出口用の孔として４つづつの孔３ａ，３ｂを設け、それぞれに対応して４つの弾性チューブ４を設けている。その他の構成は前記実施例と同様であるので、その説明を省略する。
【００２８】
図６は、留め具１０が、分離可能に連結する複数のケーシング１Ａ，１Ｂからなり、各ケーシング１Ａ，１Ｂ内に弾性チューブ４が内蔵されており、各ケーシング１Ａ，１Ｂを、これに嵌装された装身用チェーン２，２’に沿ってそれぞれスライドして位置を変更することができる。
ケーシング１Ａ，１Ｂには、それぞれに、係合手段または掛止構造、その他の着脱可能な連結手段のそれぞれの構成部２０が設けられており、分離可能に一体に連結することができる。
【００２９】
例えば、フックとこれを受ける受部の構造、凹凸係合する構造、磁石の磁着を用いる構造、その他の種々構造を用いることができる。
この留め具１０は、例えばループタイ式のネックレスなどに用いることができる。
この場合、それぞれのケーシング１Ａ，１Ｂを分離してネックレスを外すことができ、また、ケーシング１Ａ，１Ｂは一体に連結して、または分離したままでそれぞれの装身用チェーン２に対して引っ張って位置を調整することができる。
その他、要するにこの発明の要旨を変更しない範囲で種々設計変更しうること勿論である。
【図面の簡単な説明】
【００３０】
【図１】留め具の成形手順を示す説明図である。
【図２】留め具の断面図である。
【図３】ケーシングに弾性体を内蔵した留め具の断面図であって、（ａ）は弾性チューブの両端が内壁に接するもの、（ｂ）は接しないものである。
【図４】２つの弾性チューブを１つのケーシングに内蔵した実施例を示す断面図である。
【図５】一対の装身用チェーンに留め具を取り付けた場合の正面図である。
【図６】ケーシングが着脱可能に分離する留め具の断面図である。
【図７】ケーシングを球状とした留め具の応用例を示す断面図である。
【符号の説明】
【００３１】
１      ケーシング
２      装身用チェーン
３ａ，３ｂ    孔
４      弾性チューブ
４ａ    貫通孔部
１０      留め具
２０      止め輪
３０      固定用の掛止具
【図１】
2006136746.tif 000003
【図２】
2006136746.tif 000004
【図３】
2006136746.tif 000005
【図４】
2006136746.tif 000006
【図５】
2006136746.tif 000007
【図６】
2006136746.tif 000008
【図７】
2006136746.tif 000009